(57)【要約】【課題】高齢者等による車室の利用の快適さが向上する鉄道車両を提供する。【解決手段】車室２の内壁面３の出入口４を開閉するドア５が設けられた鉄道車両１において、内壁面３の出入口４の側縁６から横方向に離隔した部位から突出した仕切板８が横方向に車室２を仕切るため、仕切板８により仕切られた空間を荷物置場等として利用することができる。また、内壁面３において出入口４の側縁６の周辺から仕切板８及び仕切板８の周辺の部位のいずれかまで横手摺部１１が横方向に延在するため、高齢者等が横方向に延在する横手摺部１１に体重を預けつつ、横手摺部１１を横方向に伝うことにより、出入口４と仕切板８との間を容易に移動することができ、高齢者等による車室２の利用の快適さが向上する。【選択図】図１
2019171949.tif 000002
【特許請求の範囲】
【請求項１】
車室の内壁面の出入口を開閉するドアが設けられた鉄道車両であって、
前記内壁面の前記出入口の側縁から横方向に離隔した部位から突出し、横方向に前記車室を仕切る仕切板と、
前記内壁面において前記出入口の側縁の周辺から前記仕切板及び前記仕切板の周辺の部位のいずれかまで横方向に延在する横手摺部と、
を備えた、鉄道車両。
【請求項２】
前記仕切板及び前記仕切板の周辺の部位のいずれかに縦方向に延在する縦手摺部をさらに備えた、請求項１に記載の鉄道車両。
【請求項３】
前記横手摺部と前記縦手摺部とを連結する連結部をさらに備えた、請求項２に記載の鉄道車両。
【請求項４】
前記横手摺部の表面に情報を伝達するための凸部及び凹部のいずれかである情報伝達部をさらに備えた、請求項１〜３のいずれか１項に記載の鉄道車両。
【発明の詳細な説明】
【技術分野】
【０００１】
本発明は、鉄道車両に関する。
【背景技術】
【０００２】
車室の内壁面の出入口を開閉するドアが設けられた鉄道車両において、出入口付近における乗客の行動を補助するために手摺を配置した構造が提案されている。例えば、特許文献１では、内壁面において出入口の側縁に沿って垂直方向に延在する手摺が開示されている。
【先行技術文献】
【特許文献】
【０００３】
【特許文献１】特開２００７‐２３０３８０号公報
【発明の概要】
【発明が解決しようとする課題】
【０００４】
ところで、鉄道車両の乗客に高齢者や傷病者等が含まれることがある。握力や脚力等の体力が低下した高齢者等にとって、上記特許文献１のような手摺は把持し難く、行動を補助するために利用し難い欠点がある。また、車室の一部に荷物置場等として利用できる空間が設置されることがあるが、上記特許文献１のような手摺では、高齢者等は手摺を伝って当該空間まで移動し難いため、高齢者等による車室の利用の快適さについては、改善の余地がある。
【０００５】
そこで本発明は、高齢者等による車室の利用の快適さが向上する鉄道車両を提供することを目的とする。
【課題を解決するための手段】
【０００６】
本発明は、車室の内壁面の出入口を開閉するドアが設けられた鉄道車両であって、内壁面の出入口の側縁から横方向に離隔した部位から突出し、横方向に車室を仕切る仕切板と、内壁面において出入口の側縁の周辺から仕切板及び仕切板の周辺の部位のいずれかまで横方向に延在する横手摺部とを備えた鉄道車両である。
【０００７】
この構成によれば、車室の内壁面の出入口を開閉するドアが設けられた鉄道車両において、内壁面の出入口の側縁から横方向に離隔した部位から突出した仕切板が横方向に車室を仕切るため、仕切板により仕切られた空間を荷物置場等として利用することができる。また、内壁面において出入口の側縁の周辺から仕切板及び仕切板の周辺の部位のいずれかまで横手摺部が横方向に延在するため、高齢者等が横方向に延在する横手摺部に体重を預けつつ、横手摺部を横方向に伝うことにより、出入口と仕切板との間を容易に移動することができ、高齢者等による車室の利用の快適さが向上する。
【０００８】
この場合、仕切板及び仕切板の周辺の部位のいずれかに縦方向に延在する縦手摺部をさらに備えることが好適である。
【０００９】
この構成によれば、仕切板及び仕切板の周辺の部位のいずれかで縦手摺部が縦方向に延在するため、横手摺部を伝って縦手摺部に到達した高齢者等が仕切板により仕切られた空間をより利用し易くなる。
【００１０】
この場合、横手摺部と縦手摺部とを連結する連結部をさらに備えることが好適である。
【００１１】
この構成によれば、連結部により横手摺部と縦手摺部とが連結されるため、高齢者等が横手摺部から縦手摺部まで連続して伝うことができ、高齢者等が仕切板により仕切られた空間をさらに利用し易くなる。
【００１２】
また、横手摺部の表面に情報を伝達するための凸部及び凹部のいずれかである情報伝達部をさらに備えることが好適である。
【００１３】
この構成によれば、横手摺部の表面の凸部及び凹部のいずれかである情報伝達部を介して情報が伝達されるため、視力が低下した高齢者等が横手摺部を伝いつつ、例えば、仕切板により仕切られた空間を利用するための情報を得ることができる。
【発明の効果】
【００１４】
本発明の鉄道車両によれば、高齢者等による車室の利用の快適さが向上する。
【図面の簡単な説明】
【００１５】
【図１】実施形態の鉄道車両の車室の内壁面の出入口付近を示す斜視図である。
【図２】図１の横手摺部付近を示す斜視図である。
【発明を実施するための形態】
【００１６】
以下、図面を参照しつつ本発明の実施形態に係る鉄道車両について詳細に説明する。図１に示すように、本発明の実施形態の鉄道車両１は、車室２の内壁面３の出入口４を開閉するドア５が設けられている。出入口４及びドア５は、既存の鉄道車両の物を適用できる。ドア５は、自動又は手動で開閉する両開き及び片開きの扉であり、引き戸、プラグドア、スライドドアのいずれでもよい。本実施形態では、ドア５は自動で開閉する両開きの引き戸である。
【００１７】
図１及び図２に示すように、鉄道車両１は、内壁面３の出入口４の側縁６から横方向に離隔した部位から突出し、横方向に車室２を仕切る仕切板８を備える。車室２を仕切るとは、車室２の天井から床面までの一部を仕切る態様と、車室２の天井から床面までの全部を仕切る態様とを含む。また、横方向に車室２を仕切るとは、図１及び図２に示すように仕切板８の表面が車室２の床面の垂直方向に延在する態様の他に、車室２の床面の垂直方向以外の例えば仕切板８の表面が車室２の床面の垂直方向から５°〜４５°の角度の方向に延在する態様を含む。本実施形態では、鉄道車両１は、仕切板８の表面とその表面が対向する仕切板９をさらに備える。仕切板８と仕切板９とは棚板１０により連結されている。仕切板８と仕切板９とで区画された空間は、例えば、荷物置場等として利用される。なお、仕切板９及び棚板１０は省略されてもよい。
【００１８】
鉄道車両１は、内壁面３において出入口４の側縁６の周辺から仕切板８及び仕切板８の周辺の部位のいずれかまで横方向に延在する横手摺部１１を備える。本実施形態では、横手摺部１１は、内壁面３において出入口４の側縁６の周辺から仕切板８の周辺の部位まで横方向に延在する。横手摺部１１は、出入口４の側縁６の周辺の戸柱７から内壁面３に略垂直な方向に突出し、内壁面及び車室２の床面に平行な方向に屈曲しつつ、横方向に延在する。横手摺部１１は、円柱形状を有する。
【００１９】
出入口４の側縁６の周辺とは、例えば、乗客が片方の手で出入口４の側縁６に触れつつもう片方の手で横手摺部１１を触れる範囲を意味する。あるいは、出入口４の側縁６の周辺とは、例えば、乗客が片方の手で出入口４の側縁６に触れつつ同じ片方の手で横手摺部１１を触れる範囲を意味する。仕切板８の周辺の部位とは、例えば、乗客が片方の手で横手摺部１１に触れつつ仕切板８の位置まで移動することが可能な範囲を意味する。横方向に延在するとは、図１及び図２に示すように車室２の床面に平行な水平方向に延在している態様の他に、例えば、車室２の床面に平行な水平方向から６０°以内、４５°以内及び３０°以内の角度だけ傾斜している方向に延在している態様も含まれる。
【００２０】
鉄道車両１は、仕切板８及び仕切板８の周辺の部位のいずれかに縦方向に延在する縦手摺部１２をさらに備える。縦手摺部１２は、仕切板８の下部から仕切板８の端部に沿って車室２の床面に略垂直な方向に突出し、車室２の上部で内壁面３の側に湾曲しつつ、内壁面３まで延在する。縦手摺部１２は、円柱形状を有する。仕切板８の周辺の部位とは、例えば、乗客が片方の手で縦手摺部１２に触れつつ仕切板８の位置まで移動することが可能な範囲を意味する。縦方向に延在するとは、図１及び図２に示すように縦手摺部１２が車室２の床面の垂直方向に延在する他に、車室２の床面の垂直方向以外の例えば車室２の床面の垂直方向から５°〜４５°の角度の方向に延在する態様を含む。
【００２１】
鉄道車両１は、横手摺部１１と縦手摺部１２とを連結する連結部１３をさらに備える。本実施形態では、横手摺部１１の一方の端部は戸柱７により支持され、横手摺部１１の他方の端部は縦手摺部１２により支持されている。仕切板８の端部と縦手摺部１２との間には、乗客が縦手摺部１２を把持し易くするために、切欠部１４が設けられている。
【００２２】
鉄道車両１は、横手摺部１１の表面に情報を伝達するための凸部及び凹部のいずれかである情報伝達部１５をさらに備える。図２に示すように、本実施形態では、情報伝達部１５は、横手摺部１１の表面に設けられた凸部１６である。凸部１６は、例えば、点字である。情報伝達部１５は、横手摺部１１の表面に着脱自在でもよい。これにより、情報伝達部１５が伝達する情報を適宜変更することができる。
【００２３】
本実施形態では、横手摺部１１は出入口４の側縁６の周辺の戸柱７から縦手摺部１２まで延在しているが、横手摺部１１は、戸柱７の周辺であって出入口４の側縁６の周辺の部位や、内壁面３の戸柱７が無い平坦な部位であって出入口４の側縁６の周辺の部位から延在していてもよい。また、横手摺部１１は、仕切板８まで延在し、その端部が仕切板８と一体化していてもよく、内壁面３における仕切板８の周辺の部位まで延在していてもよい。また、横手摺部１１は、仕切板８と仕切板９とで仕切られた空間等の仕切板８により仕切られた空間の一部又は全部の範囲に亘って延在していてもよい。また、横手摺部１１は、上下に複数本備えられていてもよい。
【００２４】
また、本実施形態では、横手摺部１１は内壁面３の戸柱７にその一方の端部が取り付けられているが、例えば、横手摺部１１は内壁面３の近傍に位置し、車室２の床面から支持柱等により支持されていてもよい。つまり、必ずしも横手摺部１１が内壁面３により支持されていることを要しない。また、本実施形態では、円柱形状を有する横手摺部１１は内壁面３の戸柱７にその一方の端部が取り付けられ、円柱形状を有する横手摺部１１と内壁面３との間に隙間を有するが、例えば板状の横手摺部１１の全体が内壁面３から突出しており、横手摺部１１と内壁面３との間に隙間が無くともよい。
【００２５】
本実施形態によれば、車室２の内壁面３の出入口４を開閉するドア５が設けられた鉄道車両１において、内壁面３の出入口４の側縁６から横方向に離隔した部位から突出した仕切板８が横方向に車室２を仕切るため、仕切板８により仕切られた空間を荷物置場等として利用することができる。また、内壁面３において出入口４の側縁６の周辺から仕切板８及び仕切板８の周辺の部位のいずれかまで横手摺部１１が横方向に延在するため、高齢者等が横方向に延在する横手摺部１１に体重を預けつつ、横手摺部１１を横方向に伝うことにより、出入口４と仕切板８との間を容易に移動することができ、高齢者等による車室２の利用の快適さが向上する。
【００２６】
つまり、握力が低下した高齢者等にとって、垂直方向に延在する手摺は下方向に滑り易いため、低下した握力で把持し難い欠点がある。また高齢者等が垂直方向に延在する手摺を把持したとしても、手摺を伝って横方向に移動することは難しい欠点がある。一方、本実施形態では、高齢者等は横方向に延在する横手摺部１１に手を介して体重を預けるだけでよいため、必ずしも横手摺部１１を強い握力で把持しないで済む利点がある。また、高齢者等は横方向に延在する横手摺部１１に体重を預けつつ、横手摺部１１を横方向に伝うことで、横手摺部１１を利用して出入口４と仕切板８との間を容易に移動することができる。
【００２７】
また、本実施形態によれば、仕切板８及び仕切板８の周辺の部位のいずれかで縦手摺部１２が縦方向に延在するため、横手摺部１１を伝って縦手摺部１２に到達した高齢者等が仕切板８により仕切られた空間をより利用し易くなる。
【００２８】
また、本実施形態によれば、連結部１３により横手摺部１１と縦手摺部１２とが連結されるため、高齢者等が横手摺部１１から縦手摺部１２まで連続して伝うことができ、高齢者等が仕切板８により仕切られた空間をさらに利用し易くなる。
【００２９】
また、本実施形態によれば、横手摺部１１の表面の凸部１６及び凹部のいずれかである情報伝達部１５を介して情報が伝達されるため、視力が低下した高齢者等が横手摺部１１を伝いつつ、例えば、仕切板８により仕切られた空間を利用するための情報を得ることができる。
【００３０】
以上、本発明の実施形態について説明したが、本発明は上記実施形態に限定されることなく様々な形態で実施される。例えば、仕切板８，９、横手摺部１１、縦手摺部１２及び連結部１３の位置、長さ、形状、範囲、個数等は適宜変更され得る。
【符号の説明】
【００３１】
１…鉄道車両、２…車室、３…内壁面、４…出入口、５…ドア、６…側縁、７…戸柱、８…仕切板、９…仕切板、１０…棚板、１１…横手摺部、１２…縦手摺部、１３…連結部、１４…切欠部、１５…情報伝達部、１６…凸部。
【図１】
2019171949.tif 000003
【図２】
2019171949.tif 000004